(57)【要約】【課題】発生した手ぶれのぶれ量を撮影者が認識することができ、許容範囲内であるか否かを認識することができる撮影装置及び撮影装置の制御方法を提供する。【解決手段】ＬＣＤ１８に表示されたスルー画像８４上に、手ぶれ許容条件設定部２８の制御に基づいて、手ぶれ認識用補助枠表示部３０Ａにより手ぶれ認識用補助枠８０を表示し（ステップ１０２）、手ぶれ量表示部３０Ｂにより手ぶれ量表示マーク８２を表示し（ステップ１０４）、手ぶれ検出部２２で検出した手ぶれの量及び方向を取得し（ステップ１０６）、手ぶれに対応する位置に手ぶれ量表示マーク８２を移動する（ステップ１０８）。【選択図】図３
2009246468.tif 000002
【特許請求の範囲】
【請求項１】
被写体を撮像する撮像手段と、
前記撮像手段により撮像された被写体像の画像データに基づく画像を表示する表示手段と、
前記撮像手段による撮像の際に発生する手ぶれの方向及び量を検出する手ぶれ検出手段と、
前記表示手段に表示された表示画像上に、手ぶれの許容範囲を示す手ぶれ認識用補助枠を表示する手ぶれ認識用補助枠表示手段と、
前記表示画像上の前記手ぶれ検出手段により検出された手ぶれの方向及び量に対応する位置に、所定のマーク又は前記表示画像の一部を切り出した切出し画像を表示する手ぶれ量表示手段と、
を備えたことを特徴とする撮影装置。
【請求項２】
前記手ぶれ検出手段は、角加速度センサまたは加速度センサを含むことを特徴とする請求項１に記載の撮影装置。
【請求項３】
前記手ぶれの許容条件を設定するための許容条件設定手段を備え、
前記手ぶれ認識用補助枠表示手段は、前記許容条件設定手段の設定に基づいて、前記手ぶれ認識用補助枠の大きさを変更することを特徴とする請求項１または請求項２に記載の撮影装置。
【請求項４】
前記許容条件設定手段は、前記手ぶれの許容条件として、角加速度または加速度を設定させることを特徴とする請求項３に記載の撮影装置。
【請求項５】
前記許容条件設定手段は、前記撮像手段の露光時間が長くなるに従って前記手ぶれ認識用補助枠の大きさが小さくなるように、前記露光時間が短くなるに従って前記手ぶれ認識用補助枠の大きさが大きくなるように変更することを特徴とする請求項３または請求項４に記載の撮影装置。
【請求項６】
前記手ぶれ検出手段により検出された手ぶれを補正する手ぶれ補正手段を備え、
前記許容条件設定手段は、前記手ぶれ補正手段による手ぶれ補正を行う設定となっている場合は、前記手ぶれ補正を行わない設定となっている場合よりも前記手ぶれ認識用補助枠の大きさを大きくすることを特徴とする請求項３から請求項５のいずれか１項に記載の撮影装置。
【請求項７】
前記手ぶれ量表示手段は、前記撮像手段の露光時間に基づいて、前記所定のマーク又は前記切出し画像を表示する位置を変化させることを特徴とする請求項１から請求項６のいずれか１項に記載の撮影装置。
【請求項８】
前記手ぶれ量表示手段は、前記撮像手段の露光時間が長くなるに従って前記所定のマーク又は前記切出し画像の大きさが大きくなるように、前記露光時間が短くなるに従って前記所定のマーク又は前記切出し画像の大きさが小さくなるように変更することを特徴とする請求項１から請求項７のいずれか１項に記載の撮影装置。
【請求項９】
前記所定のマーク又は前記切出し画像が前記手ぶれ認識用補助枠の外に位置する場合に、前記手ぶれ量が許容量を越えているものとして報知する報知手段を備えたことを特徴とする請求項１から請求項８のいずれか１項に記載の撮影装置。
【請求項１０】
前記報知手段は、前記表示手段に表示された画像の色調を変化させる色調変化手段であることを特徴とする請求項９に記載の撮影装置。
【請求項１１】
前記報知手段は、警告音を出力する警告音出力手段であることを特徴とする請求項９または請求項１０に記載の撮影装置。
【請求項１２】
前記報知手段は、撮影装置を振動させる振動手段であることを特徴とする請求項９から請求項１１のいずれか１項に記載の撮影装置。
【請求項１３】
被写体を撮像し、
撮像された被写体像の画像データに基づく画像を表示し、
撮像の際に発生する手ぶれの方向及び量を検出し、
表示された表示画像上に、手ぶれの許容範囲を示す手ぶれ認識用補助枠を表示し、
前記表示画像上の前記手ぶれの方向及び量に対応する位置に、所定のマーク又は前記表示画像の一部を切り出した切出し画像を表示することを特徴とする撮影装置の制御方法。
【発明の詳細な説明】
【技術分野】
【０００１】
本発明は、撮影装置及び撮影装置の制御方法、特に撮影画像がぶれ画像となることを防止する撮影装置及び撮影方法に関する。
【背景技術】
【０００２】
一般に、撮影装置により被写体の撮影を行う際には、撮影装置に備えられているシャッターボタンを撮影者が押圧することにより、被写体像を撮影する。
【０００３】
撮影時、シャッターボタンを押圧する際に、撮影装置が動いてしまうことにより被写体像がぶれてしまう、いわゆる、手ぶれが発生することがある。
【０００４】
そのため、角速度センサ等から得られる手ぶれ信号を所定の間隔でサンプリングし、そのサンプリングした値から、手ぶれによる影響を低減させる為の補正量を算出し、算出した補正量により手ぶれを補正する技術が知られている（例えば、特許文献１参照）。
【０００５】
また、画像から被写体の顔部分を検出し、顔の各部品の変動により、手ぶれ量を求め、求めた手ぶれ量により画像を補正する技術が知られている（例えば、特許文献２参照）。
【０００６】
さらにまた、発生した手ぶれの方向及び移動量をより極端にすることで手ぶれを強調することにより、撮影装置に備えられた表示装置上において、手ぶれの発生を撮影者が認識できる技術が知られている（例えば、特許文献３参照）。
【特許文献１】特開２００５−２１７５１９号公報
【特許文献２】特開２００４−３５９１５４号公報
【特許文献３】特開２００５−２１０３９２号公報
【発明の開示】
【発明が解決しようとする課題】
【０００７】
しかしながら、上記従来の技術では、デジタルカメラ等の撮影装置に備えられた液晶ディスプレイ等の表示装置上に表示された被写体像（例えば、スルー画像）では撮影者が気にならない程度の手ぶれが原因となり、撮影された画像がぶれ画像となる場合がある。
【０００８】
本発明は、発生した手ぶれのぶれ量を撮影者が認識することができ、許容範囲内であるか否かを認識することができる撮影装置及び撮影装置の制御方法を提供することを目的とする。
【課題を解決するための手段】
【０００９】
上記目的を達成するために、請求項１に記載の撮影装置は、被写体を撮像する撮像手段と、前記撮像手段により撮像された被写体像の画像データに基づく画像を表示する表示手段と、前記撮像手段による撮像の際に発生する手ぶれの方向及び量を検出する手ぶれ検出手段と、前記表示手段に表示された表示画像上に、手ぶれの許容範囲を示す手ぶれ認識用補助枠を表示する手ぶれ認識用補助枠表示手段と、前記表示画像上の前記手ぶれ検出手段により検出された手ぶれの方向及び量に対応する位置に、所定のマーク又は前記表示画像の一部を切り出した切出し画像を表示する手ぶれ量表示手段と、を備えたことを特徴とする。
【００１０】
撮像手段は、被写体を撮像し、表示手段は、撮像手段により撮像された被写体像の画像データに基づく画像を表示する。手ぶれ検出手段は、撮像手段による撮像の際に発生する手ぶれの方向及び量を検出する。手ぶれ認識用補助枠表示手段は、表示手段に表示された表示画像上に、手ぶれの許容範囲を示す手ぶれ認識用補助枠を表示する。手ぶれ量表示手段は、表示画像上の前記手ぶれ検出手段により検出された手ぶれの方向及び量に対応する位置に、所定のマーク又は表示画像の一部を切り出した画像を表示する。
【００１１】
表示手段に表示されたスルー画像等の表示画像上に、手ぶれ認識用補助枠表示手段により、手ぶれの許容範囲を表示することができ、かつ、手ぶれ量表示手段により、所定のマーク又は切出し画像によって生じている手ぶれの方向及び量を表示することができるので、手ぶれ認識用補助枠と所定のマーク又は切出し画像との位置関係により、撮影者は、発生した手ぶれのぶれ量を認識することができ、手ぶれが許容範囲内であるか否かを認識することができる。
【００１２】
請求項２に記載の撮影装置は、請求項１に記載の撮影装置において、前記手ぶれ検出手段は、角加速度センサまたは加速度センサを含むことを特徴とする。
【００１３】
手ぶれ検出手段は、角加速度センサまたは加速度センサを含むことができる。
【００１４】
手ぶれ検出手段は、例えば、ジャイロセンサ等の角加速度センサまたは加速度センサにより手ぶれを検出することができる。
【００１５】
請求項３に記載の撮影装置は、請求項１または請求項２に記載の撮影装置において、前記手ぶれの許容条件を設定するための許容条件設定手段を備え、前記手ぶれ認識用補助枠表示手段は、前記許容条件設定手段の設定に基づいて、前記手ぶれ認識用補助枠の大きさを変更することを特徴とする。
【００１６】
手ぶれの許容条件を設定する許容条件設定手段を備えることができ、手ぶれ認識用補助枠表示手段は、当該設定に基づいて手ぶれ認識用補助枠の大きさを変更する。
【００１７】
同一の手ぶれ量であってもぶれ画像となるか否か等、条件により画像に与える手ぶれの影響が異なる場合がある。許容条件設定手段は、手ぶれの許容条件を設定し、手ぶれ認識用補助枠表示手段は、当該設定に基づいて手ぶれ認識用補助枠の大きさを変更することができるため、撮影者は、発生した手ぶれが許容範囲内であるか否かをより適正に認識することができる。
【００１８】
請求項４に記載の撮影装置は、請求項３に記載の撮影装置において、前記許容条件設定手段は、前記手ぶれの許容条件として、角加速度または加速度を設定させることを特徴とする。
【００１９】
手ぶれの許容条件は、角加速度または加速度を設定させること、とすることができる。手ぶれ量により角加速度または加速度が変化するため、角加速度または加速度を設定させることにより、許容する手ぶれ量の程度（量）を例えば、撮影者が設定することができる。
【００２０】
請求項５に記載の撮影装置は、請求項３または請求項４に記載の撮影装置において、前記許容条件設定手段は、前記撮像手段の露光時間が長くなるに従って前記手ぶれ認識用補助枠の大きさが小さくなるように、前記露光時間が短くなるに従って前記手ぶれ認識用補助枠の大きさが大きくなるように変更することを特徴とする。
【００２１】
許容条件設定手段は、撮像手段の露光時間が長くなるに従って手ぶれ認識用補助枠の大きさが小さくなるように変更し、露光時間が短くなるに従って手ぶれ認識用補助枠の大きさが大きくなるように変更する。
【００２２】
露光時間が長い場合は、少量の手ぶれであっても画像に与える影響が大きいため、露光時間が長くなるに従って手ぶれ認識用補助枠の大きさが小さくなるように変更し、露光時間が短くなるに従って手ぶれ認識用補助枠の大きさが大きくなるように変更することにより、手ぶれ認識用補助枠は、適正な許容範囲を示すことができ、撮影者は、発生した手ぶれが許容範囲内であるか否かをより適正に認識することができる。
【００２３】
請求項６に記載の撮影装置は、請求項３から請求項５のいずれか１項に記載の撮影装置において、前記手ぶれ検出手段により検出された手ぶれを補正する手ぶれ補正手段を備え、前記許容条件設定手段は、前記手ぶれ補正手段による手ぶれ補正を行う設定となっている場合は、前記手ぶれ補正を行わない設定となっている場合よりも前記手ぶれ認識用補助枠の大きさを大きくすることを特徴とする。
【００２４】
検出された手ぶれを補正するための手ぶれ補正手段を備え、許容条件設定手段は、手ぶれ認識用補助枠の大きさを、手ぶれ補正を行う設定となっている場合は、行わない設定となっている場合に比べて大きくする。
【００２５】
手ぶれ補正を行う場合は、発生した手ぶれが補正されるため、行わない場合よりも大きな手ぶれを起こしていても画像がぶれ画像になりづらいため、手ぶれ補正を行う場合は行わない場合よりも手ぶれ認識用補助枠の大きさを大きくすることにより、手ぶれ認識用補助枠表示手段は、当該大きさの手ぶれ認識用補助枠を表示することができるため、撮影者は、発生した手ぶれが許容範囲内であるか否かをより適正に認識することができる。
【００２６】
請求項７に記載の撮影装置は、請求項１から請求項６のいずれか１項に記載の撮影装置において、前記手ぶれ量表示手段は、前記撮像手段の露光時間に基づいて、前記所定のマーク又は前記切出し画像を表示する位置を変化させることを特徴とする。
【００２７】
前記手ぶれ量表示手段は、前記撮像素子の露光時間に基づいて、前記所定のマーク又は前記切出し画像を表示する位置を変化させることができる。
【００２８】
露光時間と手ぶれが画像に与える影響とは対応関係があるため、露光時間に基づいて、例えば、露光時間が長い場合は所定のマーク又は切出し画像を規定位置から離れた位置に変化させることにより、露光時間に基づいた適正な位置に表示することができるため、撮影者は、発生した手ぶれが許容範囲内であるか否かをより適正に認識することができる。
【００２９】
請求項８に記載の撮影装置は、請求項１から請求項７のいずれか１項に記載の撮影装置において、前記手ぶれ量表示手段は、前記撮像手段の露光時間が長くなるに従って前記所定のマーク又は前記切出し画像の大きさが大きくなるように、前記露光時間が短くなるに従って前記所定のマーク又は前記切出し画像の大きさが小さくなるように変更することを特徴とする。
【００３０】
手ぶれ量表示手段は、露光時間が長くなるに従って所定のマーク又は切出し画像の大きさが大きくなるように変更し、露光時間が短くなるに従って所定のマーク又は切出し画像の大きさが小さくなるように変更することができる。
【００３１】
露光時間と手ぶれが画像に与える影響とは対応関係があり、露光時間と所定のマーク又は切出し画像の大きさとは比例関係がある。露光時間が長くなるに従って所定のマーク又は切出し画像の大きさが大きくなるように変更し、露光時間が短くなるに従って所定のマーク又は切出し画像の大きさが小さくなるように変更することにより、露光時間に基づいた適正な大きさの所定のマーク又は切出し画像を表示することができるため、撮影者は、発生した手ぶれが許容範囲内であるか否かをより適正に認識することができる。
【００３２】
請求項９に記載の撮影装置は、請求項１から請求項８のいずれか１項に記載の撮影装置において、前記所定のマーク又は切出し画像が前記手ぶれ認識用補助枠の外に位置する場合に、前記手ぶれ量が許容量を越えているものとして報知する報知手段を備えたことを特徴とする。
【００３３】
所定のマーク又は切出し画像が手ぶれ認識用補助枠の外に位置する場合に、報知する報知手段を備えることができる。所定のマーク又は切出し画像が手ぶれ認識用補助枠の外に位置する場合とは、手ぶれが許容範囲を越えている場合を示している。すなわち、報知手段は、手ぶれが許容範囲を越えていることを報知する。これにより、撮影者に対して、手ぶれが許容範囲内であるか否かをより認識しやすくすることができる。
【００３４】
請求項１０に記載の撮影装置は、請求項９に記載の撮影装置において、前記報知手段は、前記表示手段に表示された画像の色調を変化させる色調変化手段であることを特徴とする。
【００３５】
報知手段は、表示手段に表示された画像の色調を変化させる色調変化手段とすることができる。これにより、撮影者の視覚に対して、強調して報知するので、手ぶれが許容範囲を越えていることをより認識しやすくすることができる。
【００３６】
請求項１１に記載の撮影装置は、請求項９または請求項１０に記載の撮影装置において、前記報知手段は、警告音を出力する警告音出力手段であることを特徴とする。
【００３７】
報知手段は、警告音を出力する警告音出力手段とすることができ、警告音により報知することができる。これにより、撮影者の聴覚に対して、手ぶれが許容範囲を越えていることを報知することができる。
【００３８】
請求項１２に記載の撮影装置は、請求項９から請求項１１のいずれか１項に記載の撮影装置において、前記報知手段は、撮影装置を振動させる振動手段であることを特徴とする。
【００３９】
報知手段は、撮影装置を振動させる振動手段とすることができ、振動により報知することができる。これにより、撮影者の触覚に対して、手ぶれが許容範囲を越えていることを報知することができる。
【００４０】
請求項１３に記載の撮影装置の制御方法は、撮像された被写体像の画像データに基づく画像を表示し、撮像の際に発生する手ぶれの方向及び量を検出し、表示された表示画像上に、手ぶれの許容範囲を示す手ぶれ認識用補助枠を表示し、前記表示画像上の前記手ぶれの方向及び量に対応する位置に、所定のマーク又は前記表示画像の一部を切り出した切出し画像を表示することを特徴とする。
【発明の効果】
【００４１】
以上説明したように、請求項１〜請求項１３に記載の本発明によれば、発生した手ぶれのぶれ量を撮影者が認識することができ、許容範囲内であるか否かを認識することができる撮影装置及び撮影装置の制御方法を提供することができる、という効果が得られる。
【発明を実施するための最良の形態】
【００４２】
［第１の実施の形態］
【００４３】
以下、図面を参照して本発明の実施の形態を詳細に説明する。
【００４４】
本実施の形態に係る撮影装置であるデジタルカメラの概略構成の一例を図１に示す。
【００４５】
本実施の形態のデジタルカメラ１０の正面には、被写体像を結像させるためのレンズ１２と、撮影する被写体の構図を決定するために用いられるファインダ１４と、が備えられている。また、デジタルカメラ１０の上面には、撮影を実行する際に撮影者によって押圧操作されるレリーズボタン（シャッター）１６Ａと、電源スイッチ１６Ｂと、が備えられている。
【００４６】
本実施の形態では、レリーズボタン１６Ａは、中間位置まで押下される状態（半押し状態）と、当該中間位置を越えた最終押下位置まで押下される状態（全押し状態）と、の２段階の押圧操作が検出可能に構成されている。
【００４７】
本実施の形態のデジタルカメラ１０では、レリーズボタン１６Ａを半押し状態にすることによりＡＥ（Ａｕｔｏｍａｔｉｃ  Ｅｘｐｏｓｕｒｅ、自動露出）機能が働いて露出状態（シャッタースピード（露光時間）、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００４８】
一方、デジタルカメラ１０の背面には、ファインダ１４の接眼部と、撮影によって得られたデジタル画像データにより示される被写体像や各種メニュー画面、メッセージ等を表示するための表示手段である液晶ディスプレイ（ＬＣＤ）１８と、撮影を行うモードである撮影モード及び撮影によって得られたデジタル画像データにより示される被写体像をＬＣＤ１８に表示（再生）するモードである再生モードの何れかのモードに設定するためにスライド操作されるモード切替スイッチ１６Ｃと、ＬＣＤ１８の表示領域における上・下・左・右の４方向の移動方向を示す４つの矢印キーを含んで構成された十字カーソルボタン１６Ｄと、が備えられている。
【００４９】
なお、本実施の形態では、撮像素子（ＣＣＤ、詳細後述）で撮像された画像をＬＣＤ１８にスルー画表示させ、これにより電子ファインダとして用いることができる。
【００５０】
次に、図２に本実施の形態のデジタルカメラ１０の電気系の主要構成の一例のブロック図を示す。
【００５１】
図２に示すように、本実施の形態のデジタルカメラ１０は、撮像部２０、手ぶれ検出部２２、画像信号処理回路部２４、圧縮伸張処理回路部２６、手ぶれ許容条件設定部２８、手ぶれ認識表示部３０、表示制御回路部３２、ＬＣＤ１８、操作部１６、ＣＰＵ（中央処理装置）３４、ＡＦ検出回路部３６、ＡＥ・ＡＷＢ検出回路部３８、手ぶれ補正部４０、第１メモリ４２、第２メモリ４４、メデイアコントローラ４６、及び外部機器Ｉ／Ｆ（インターフェイス）４８を備えて構成されている。
【００５２】
撮像部２０は、光学ユニット５２、ＣＣＤ（Ｃｈａｒｇｅ  Ｃｏｕｐｌｅｄ  Ｄｅｖｉｃｅ、撮像素子）５４、ＣＤＳＡＭＰ（相関二重サンプリング回路）５６、Ａ／Ｄ（アナログ／デジタル変換器）５８、画像入力コントローラ６０、タイミングジェネレータ６２、及びモータ制御部６４Ａ、６４Ｂ、６４Ｃを備えて構成されている。また、光学ユニット５２は、レンズ１２（図１参照）、ズームモータ５２Ａ、焦点調整モータ５２Ｂ、及び絞り駆動モータ５２Ｃを含んで構成されている。
【００５３】
手ぶれ検出部２２は、センサ７０Ａ、７０Ｂ、ハイパスフィルタ７２、Ａ／Ｄ（アナログ／デジタル変換器）７４、及び信号処理回路部７６を備えて構成されている。
【００５４】
画像信号処理回路部２４、圧縮伸張処理回路部２６、手ぶれ許容条件設定部２８、手ぶれ認識表示部３０、表示制御回路部３２、ＣＰＵ３４、ＡＦ検出回路部３６、ＡＥ・ＡＷＢ検出回路部３８、手ぶれ補正部４０、第１メモリ４２、第２メモリ４４、メデイアコントローラ４６、外部機器Ｉ／Ｆ４８、画像入力コントローラ６０、及び信号処理回路部７６は、ＢＵＳ５０を介して互いに情報等の授受が可能に接続されている。
【００５５】
ＣＰＵ３４は、デジタルカメラ１０全体の動作を司るためのものであり、第１メモリ４２は、ＣＰＵ３２による各種処理の実行時のワークエリア等として用いられるためのものであり、また、第２メモリ４４は、主として撮影により得られたデジタル画像データを記憶するためのものである。なお、第１メモリ４２の具体的一例としては、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が、第２メモリ４４の具体的一例としては、ＶＲＡＭ（Ｖｉｄｅｏ  ＲＡＭ）がそれぞれ挙げられる。
【００５６】
画像信号処理回路部２４は、デジタル画像データに対して各種画像処理を施すためのものである。圧縮伸張処理回路部２６は、所定の圧縮形式でデジタル画像データに圧縮処理を施す一方、圧縮処理されたデジタル画像データに伸張処理を施すためのものである。
【００５７】
表示制御回路部３２は、デジタル画像データにより示される画像やスルー画像、メニュー画面等をＬＣＤ１８に表示させるための信号を生成してＬＣＤ１８に供給するためのものである。
【００５８】
ＡＦ検出回路部３６は、ＡＦ機能を働かせるために必要とされる物理量を検出するためのものであり、ＡＥ・ＡＷＢ検出回路部３８は、ＡＥ機能及びＡＷＢ（Ａｕｔｏｍａｔｉｃ  Ｗｈｉｔｅ  Ｂａｌａｎｃｅ）機能を働かせるために必要とされる物理量、具体的一例としては、ＣＣＤ５４による撮像によって得られた画像の明るさを示す輝度情報と、色差情報を検出するためのものである。ＣＰＵ３４は、ＡＥ・ＡＷＢ検出回路部３８による検出結果に基づいて露出状態を設定する、ＡＥ制御を実行する。なお、露出状態は、絞り、シャッタースピード、撮影感度などの相互関係によって決まる。
【００５９】
メディアコントローラ４６は、本体に着脱可能な記録メディア４６Ａをデジタルカメラ１０でアクセス可能とするためのものである。外部機器Ｉ／Ｆ４８は、デジタルカメラ１０に接続された外部機器との間の所定インターフェイス企画（例えば、ＵＳＢ（Ｕｎｉｖｅｒｓａｌ  Ｓｅｒｉａｌ  Ｂｕｓ）規格）による通信を司るためのものである。
【００６０】
手ぶれ許容条件設定部２８は、手ぶれによる許容条件を設定するためのものであり、
【００６１】
当該設定に基づいて手ぶれ認識用補助枠の大きさを制御する。本実施の形態では、許容条件の一例として、センサ７０Ａ、７０Ｂの加速度または角加速度や、露光時間（シャッタースピード）、手ぶれ補正を行うか否かの場合について詳細に説明しているが、これに限らない（詳細後述）。
【００６２】
手ぶれ認識表示部３０は、手ぶれ認識用補助枠表示部３０Ａ及び手ぶれ量表示部３０Ｂを含んで構成されており、ＬＤＣ１８に表示されたスルー画像上に、撮影の際に生じる手ぶれをユーザが認識できるように表示するためのものである。手ぶれ認識用補助枠表示部３０Ａは手ぶれ許容範囲を表示するためのものであり、手ぶれ許容条件設定部２８の制御に基づいて、手ぶれの許容範囲を示す手ぶれ認識用補助枠を表示する。手ぶれ許容範囲とは、例えば、実際には手ぶれが生じていても、プリントされた被写体画像に肉眼ではぶれが認められない、または手ぶれが生じていても問題がないとユーザが判断できる手ぶれ量の範囲を表すものである。
【００６３】
手ぶれ量表示部３０Ｂは実際に生じている手ぶれ量を表示するためのものであり、初期位置からの所定の印（本実施の形態では、具体的一例として手ぶれ量表示マークとして円形の印を用いている）の移動量により手ぶれ量を表示する。なお、初期位置としては、本実施の形態では、ＬＣＤ１８画面上の中央としている。
【００６４】
手ぶれ補正部４０は、手ぶれ検出部２２で検出した手ぶれを補正するためのものである。手ぶれを補正する方法の具体的一例としては、レンズ１２に含まれる手ぶれ補正レンズ（図示省略）を移動させて、手ぶれによる光軸のずれを打ち消して、手ぶれを補正した被写体像を示すアナログ信号がＣＣＤ５４から出力されるようにする方法等が挙げられるが、これに限らない。また、本実施の形態では、手ぶれ補正を行うか否かは、ユーザがＬＣＤ１８上に表示されたメニュー画面等の項目を十字カーソルボタン１６Ｄ等を操作することにより選択することができる。
【００６５】
光学ユニット５２に含まれるレンズ１２（図１参照）は、複数枚のレンズを有し、焦点距離の変更（変倍）が可能なズームレンズとして構成されており、ズームモータ５２Ａ、焦点調整モータ５２Ｂ、及び絞り駆動モータ５２Ｃを含んで構成されるレンズ駆動機構を備えている。モータ駆動部６４Ａ、６４Ｂ、６４Ｃの出力端子はズームモータ５２Ａ、焦点調整モータ５２Ｂ、及び絞り駆動モータ５２Ｃに接続されている。モータ駆動部６４Ａ、６４Ｂ、６４Ｃの入力端子は、ＣＰＵ３４にそれぞれ接続されており、レンズ駆動機構を構成するズームモータ５２Ａ、焦点調整モータ５２Ｂ、及び絞り駆動モータ５２Ｃは各々ＣＰＵ３４の制御下でモータ駆動部６４から供給された駆動信号によって駆動される。
【００６６】
ＣＰＵ３４は、光学ズーム倍率を変更する際にはズームモータ５２Ａを駆動制御して光学ユニット５２に含まれるレンズ１２の焦点距離を変化させる。ＣＰＵ３４は、ＣＣＤ５４による撮像によって得られた画像のコントラストが最大となるように焦点調整モータ５２Ｂを駆動制御することにより合焦制御を行う。すなわち、本実施の形態では、合焦制御として、ＡＦ検出回路部３６により、ＣＣＤ５４による撮像によって得られた画像の輝度の高周波成分を示す評価値を検出し、検出された評価値に基づいて、読取られた画像のコントラストが最大となるようにレンズの位置を設定する所謂ＴＴＬ（Ｔｈｒｏｕｇｈ  Ｔｈｅ  Ｌｅｎｓ）方式によるコントラストＡＦ制御が実行可能である。
【００６７】
ＣＣＤ５４は、レンズ１２の光軸後方に配設されており、出力端子がＣＤＳＡＭＰ５６の入力端子に接続されている。
【００６８】
ＣＤＳＡＭＰ５６の出力端子はＡ／Ｄ５８の入力端子に接続されている。ＣＤＳＡＭＰ５６による相関二重サンプリング処理は、ＣＣＤ５４の出力信号に含まれるノイズ（特に熱雑音）等を軽減することを目的として、ＣＣＤ５４の１画素毎の出力信号に含まれるフィードスルー成分レベルと画素信号成分レベルとの差をとることにより正確な画素データを得る処理である。また、ＣＤＳＡＭＰ５６には、増幅器（図示省略）が内蔵されており、ＣＣＤ５４から入力された画像信号は、相関二重サンプリング処理が施されると共に、所定の増幅率で増幅されて出力される。
【００６９】
画像入力コントローラ６０の入力端子は、Ａ／Ｄ５８の出力端子に接続されており、所定容量のラインバッファを内蔵すると共に入力されたデジタル画像データを第２メモリ４４の所定の領域に直接記憶させる制御を行うためのものである。
【００７０】
タイミングジェネレータ６２は、主としてＣＣＤ５４を駆動させるためのタイミング信号を生成してＣＣＤ５４に供給するためのものである。タイミングジェネレータ６２の入力端子はＣＰＵ３４に、出力端子はＣＣＤ５４に接続されており、ＣＣＤ５４の駆動は、ＣＰＵ３４によりタイミングジェネレータ６２を介して制御される。
【００７１】
また、レリーズボタン１６Ａ、電源スイッチ１６Ｂ、モード切替スイッチ１６Ｃ、及び十字カーソルボタン１６Ｄを含む操作部１６はＣＰＵ３４に接続されており、ＣＰＵ３４は、これら操作部１６の各々に対する操作状態を常時把握できる。
【００７２】
センサ７０Ａ、７０Ｂは、デジタルカメラ１０の電源投入後の被写体に対する撮像部２０（光学ユニット５２及びＣＣＤ５４）の振れを検出するためのものであり、角加速度、加速度、角変位等を検出することにより振れを検出する。センサ７０Ａ、７０Ｂの具体的一例としては、ジャイロセンサ等が挙げられる。本実施の形態では、センサ７０Ａは、レンズ１２及びＣＣＤ５４を含む撮像部２０の光軸に直交する所定の方向（垂直方向）へのデジタルカメラ１０の回転運動の角速度を検出するものであり、垂直方向の角速度に応じた信号を出力する。また、センサ７０Ｂは、撮像部２０の光軸に直交し、かつ、センサ７０Ａの検知方向から略９０度回転した方向（水平方向）へのデジタルカメラ１０の回転運動の角速度を検出するものであり、水平方向の角速度に応じた信号を出力する。
【００７３】
具体的には、センサ７０Ａ、７０Ｂは、デジタルカメラ１０の初期設定である切出領域から当該切出領域の外へ被写体が振れたことを検知する。この振れた量が垂直方向及び水平方向各々への移動量として、各々センサ７０Ａ、７０Ｂによって検出され、これらのセンサによる出力信号として出力される。
【００７４】
なお、センサ７０Ａ、７０Ｂによる出力信号は、小さい信号であるため、増幅回路（図示省略）を介して出力信号を増幅させる。また、センサ７０Ａ、７０Ｂによる出力信号には、ヌル電圧や直流成分などのオフセット成分である直流成分が含まれる。
【００７５】
ハイバスフィルタ７２は、センサ７０Ａ、７０Ｂから直流成分を除去するためのものである。ハイバスフィルタ７２の具体的一例としては、キャパシタンスと抵抗とから構成されるＣＲ直流カット回路等が挙げられる。ハイパスフィルタ７２を介することにより、センサ７０Ａ、７０Ｂの出力信号が増幅されると共に、低域周波数成分、すなわち、直流成分がカットされる。直流成分がカットされたセンサ７０Ａ、７０Ｂ各々の出力信号は、Ａ／Ｄ７４によりサンプリングされて出力データとして信号処理回路部７６に入力される。
【００７６】
信号処理回路部７６は、垂直成分及び水平成分の振れ量、または振れを補正するための補正量を求めるためのものである。具体的一例としては、デジタルカメラ１０の被写体の撮影による切出領域の本来の位置（初期設定の位置）からの移動量に応じて、該移動を抑制するような方向に切出領域を移動するための水平方向の移動量及び垂直方向への移動量を算出し、算出された移動量に応じて切出領域を移動した後に、該切出領域内の画像データを得る。なお、初期設定の位置とは、例えば、有効画素領域の中心位置と、切出領域の中心位置とが略同一となるように切出領域が位置する場合の位置である。
【００７７】
なお、本実施の形態では、手ぶれ検出部２２は、センサ７０Ａ、７０Ｂを用いて手ぶれの検出を行っているが、これに限らず、例えば、センサを用いないで検出を行ってもよい。この場合の具体的一例として、Ｋ番目のフレームの画像を取り込み、Ｋ−１番目のフレームの画像と、同一被写体の位置のずれと、レンズの焦点位置（焦点距離）と、に基づいてデジタルカメラ１０の手ぶれ方向及び手ぶれ量を算出するようにしてもよい。
【００７８】
次に、本実施の形態のデジタルカメラ１０の作用を図面を参照して詳細に説明する。
【００７９】
まず、本実施の形態のデジタルカメラ１０における撮影時の全体的な動作について説明する。
【００８０】
ＣＣＤ５４による光学ユニット５２を介した撮像が行われ、被写体像を示す信号がＣＣＤ５４から順次出力される。そして、ＣＣＤ５４から出力された信号は順次ＣＤＳＡＭＰ５６に入力されて相関二重サンプリング処理が施された後に、Ａ／Ｄ５８に入力され、Ａ／Ｄ５８は、ＣＤＳＡＭＰ５６から入力されたＲ（赤）、Ｇ（緑）、Ｂ（青）の信号を各々１２ビットのＲ、Ｇ、Ｂ信号（デジタル画像データ）に変換して画像入力コントローラ６０に出力する。
【００８１】
画像入力コントローラ６０は内蔵しているラインバッファにＡ／Ｄ５８から順次入力されるデジタル画像データを蓄積して一旦第２メモリ４４の所定領域に格納する。
【００８２】
第２メモリ４４の所定領域に格納されたデジタル画像データは、ＣＰＵ３４による制御下で画像信号処理回路部２４によって読出され、これらにＡＥ・ＡＷＢ検出回路部３８により検出された物理量に応じたデジタルゲインをかけることでホワイトバランス調整を行うと共に、ガンマ処理及びシャープネス処理を行って８ビットのデジタル画像データを生成し、更にＹＣ信号処理を施して輝度信号Ｙとクロマ信号Ｃｒ、Ｃｂ（ＹＣ信号）を生成し、ＹＣ信号を第２メモリ４４の上記所定領域とは異なる領域に格納する。
【００８３】
なおＬＣＤ１８は、スルー画像を表示して電子ファインダとして使用することができるものとして構成されているが、このようにＬＣＤ１８をファインダとして使用する場合には、生成したＹＣ信号を、表示制御回路部３２を介して順次ＬＣＤ１８に出力する。これにより、ＬＣＤ１８にスルー画像が表示されることになる。
【００８４】
また、手ぶれ認識表示部３０は、スルー画像上にユーザが手ぶれ及び手ぶれ許容量を認識可能にするための手ぶれ認識表示を行う。手ぶれ認識用補助枠表示部３０Ａは、手ぶれ認識用補助枠を手ぶれ許容条件設定部２８の制御に基づいて表示し、手ぶれ量表示部３０Ｂは、手ぶれ量表示マークを表示する。
【００８５】
ここで、レリーズボタン１６Ａがユーザによって半押し状態とされた場合、ＡＥ機能が働いて露出状態が設定された後、ＡＦ機能が働いて合焦制御され、その後、引き続き全押し状態とされた場合、この時点で第２メモリ４４に格納されているＹＣ信号を、圧縮・伸張処理回路部２６によって所定の圧縮形式で圧縮した後に記録メディア４６Ａに画像ファイルとして記録する。
【００８６】
次に、上述の手ぶれ認識表示について図３〜図５を参照して詳細に説明する。図３は、本実施の形態の手ぶれ認識表示処理の一例を示すフローチャートである。なお、このとき、ＬＣＤ１８には上述したように、被写体像のスルー画像が表示されている。
【００８７】
まずステップ１００では、手ぶれ許容条件設定部２８から手ぶれ認識用補助枠の大きさを取得する。なお、本実施の形態では、予め、標準的な撮影条件に基づく手ぶれ認識用補助枠の大きさ（許容範囲）を得ておき、得られた値を許容条件のデフォルトとして手ぶれ許容条件設定部２８のメモリ（図示省略）に記憶している。
【００８８】
次のステップ１０２では、手ぶれ認識用補助枠表示部３０Ａにより、取得した補助枠の大きさに基づいて手ぶれ認識用補助枠をＬＣＤ１８のスルー画像上に表示させる。
【００８９】
次のステップ１０４では、手ぶれ量表示マークをＬＣＤ１８のスルー画像上の所定の位置（初期位置、本実施の形態では、中央）に表示させる。
【００９０】
さらに次のステップ１０６では、手ぶれ量として加速方向と加速量（加速度）を手ぶれ検出部２２から取得し、次のステップ１０８では、取得した手ぶれ量に基づいた位置に手ぶれ量表示マークを移動（表示する位置を変更）する。
【００９１】
ここで、本実施の形態の手ぶれ認識用補助枠及び手ぶれ量表示マークの表示について図４及び図５を参照して詳細に説明する。図４（Ａ）は、手ぶれが生じていない場合のデジタルカメラ１０を被写体側から見た図（正面図）を示している。また、図４（Ｂ）は、手ぶれによりデジタルカメラ１０が正規の位置（点先で図示した位置）からずれた状態、すなわち、手ぶれＺが生じている状態を示している。図４（Ｂ）に示した状態では、撮影者は左方向及び上方向に手ぶれを起こしている。この場合、センサ７０Ａは手ぶれＺの垂直成分Ｙを検出し、センサ７０Ｂは水平成分Ｘを検出する。
【００９２】
また、図５は、ＬＣＤ１８に表示されたスルー画像８４上に手ぶれ認識用補助枠８０及び手ぶれ量表示マーク８２が表示された状態を示している。図５（Ａ）は、手ぶれが生じていない場合を示しており、図４（Ａ）に対応している。図５（Ｂ）は、手ぶれが生じている場合を示しており、図４（Ｂ）に対応している。図５（Ｂ）に示したように、手ぶれ量表示マークは、初期位置から左方向（水平成分Ｘに対応）及び上方向（垂直成分Ｙに対応）に、手ぶれ量に対応する距離分、離れた位置に表示されている。
【００９３】
なお、本実施の形態では手ぶれ認識用補助枠８０の内部が手ぶれ許容範囲であり、当該許容範囲に手ぶれ量表示マーク８２が全て含まれる場合が手ぶれ許容範囲、即ち、ぶれ画像が生じないことをしめしている。
【００９４】
このように、図５（Ｂ）のように手ぶれ認識用補助枠８０及び手ぶれ量表示マーク８２が表示されている場合は、ユーザ（撮影者）は、左方向及び上方向に手ぶれを起こしているが、許容範囲内であることを認識することができる。
【００９５】
また、図５（Ｃ）では、手ぶれ量表示マーク８２が手ぶれ認識用補助枠８０の外部に出ており、すなわち、許容範囲を越えた手ぶれが生じている状態を示している。このように、図５（Ｃ）のように手ぶれ認識用補助枠８０及び手ぶれ量表示マーク８２が表示されている場合は、ユーザ（撮影者）は、左方向及び上方向に許容範囲を越えた手ぶれを起こしていることを認識することができ、従って、ぶれ画像になることを認識することができる。
【００９６】
なお、ここでは、手ぶれ認識用補助枠８０及び手ぶれ量表示マーク８２の形状を円形で表しているがこれに限らず、方形等、他の形状であってもよいし、表示色も特に限定されないが、目立つものであることが好ましい。
【００９７】
さらに、次のステップ１１０では、手ぶれ認識表示を終了するか否かを判断する。終了しない場合は否定されて、ステップ１０６に戻り、手ぶれ量の取得及び手ぶれ量表示マークの移動を繰り返す。一方、撮影を終了する場合や、スルー画像の表示を終了する場合、手ぶれ認識表示の終了をユーザが指定した場合等は肯定されて、本処理を終了する。
【００９８】
以上説明したように、本実施の形態のデジタルカメラ１０では、被写体を撮影する際に、ＬＣＤ１８に表示されたスルー画像８４上に手ぶれ認識用補助枠８０を表示し、かつ、手ぶれの量及び方向に対応する位置に手ぶれ量表示マーク８２を表示するので、撮影者は、発生した手ぶれのぶれ量を認識することができ、手ぶれ量表示マーク８２が手ぶれ認識用補助枠８０を越えているか否かにより、越えていない場合は手ぶれが許容範囲内であり、越えている場合は許容範囲外であることを認識することができる。
【００９９】
なお、本実施の形態では、手ぶれ量表示マーク８２により手ぶれの量及び方向を表示しているが、これに限らず、ＬＣＤ１８に表示されたスルー画像の一部を切り出した切出し画像により表示するようにしてもよい。
【０１００】
この場合の手ぶれ認識表示処理は、図３に示した手ぶれ認識表示処理とステップ１０４及び１０８の処理のみ異なる処理である。
【０１０１】
ステップ１０４では、ＬＣＤ１８に表示されたスルー画像の一部を切り出した切出し画像を表示する（図６（Ａ）参照、詳細後述）。切出し画像の大きさは予め手ぶれ量表示部３０Ｂのメモリ（図示省略）に記憶しておく。また、切り出す位置はＬＣＤ１８画面の中央とすることが好ましい。なお、切り出した残りのスルー画像の部分はそのまま表示しても、表示しなくても、もしくは、色調を変化させる等してもよいが、切出し画像部分を見やすくすることが好ましい。
【０１０２】
さらに、ステップ１０８では、取得した手ぶれ量及び方向に基づく位置のスルー画像を切り出す（図６（Ｂ）参照、詳細後述）。本実施の形態では、切出し画像の中心位置が取得した手ぶれ量及び方向に基づく位置になるようにスルー画像を切り出す。
【０１０３】
手ぶれ認識表示の具体的一例を図６に示す。図６（Ａ）は、手ぶれが生じていない場合を示しており、図５（Ａ）に対応している。図６（Ｂ）は、手ぶれが生じている場合を示しており、図５（Ｂ）に対応している。図６（Ｂ）に示したように、切出し画像８３は、初期位置から左方向（水平成分Ｘに対応）及び上方向（垂直成分Ｙに対応）に、手ぶれ量に対応する距離分、離れた位置に表示されている。このように、図６（Ｂ）のように手ぶれ認識用補助枠８１及び切出し画像８３が表示されている場合は、ユーザ（撮影者）は、左方向及び上方向に手ぶれを起こしているが、許容範囲内であることを認識することができる。
【０１０４】
また、図６（Ｃ）では、切出し画像８３が手ぶれ認識用補助枠８１の外部に出ており、すなわち、許容範囲を越えた手ぶれが生じている状態を示している。このように、図６（Ｃ）のように手ぶれ認識用補助枠８１及び切出し画像８３が表示されている場合は、ユーザ（撮影者）は、左方向及び上方向に許容範囲を越えた手ぶれを起こしていることを認識することができ、従って、ぶれ画像になることを認識することができる。
【０１０５】
このように、ＬＣＤ１８に表示されたスルー画像８４上に手ぶれ認識用補助枠８１を表示し、かつ、スルー画像を切り出した切出し画像８３により手ぶれ量を表示しすることによっても、撮影者は、発生した手ぶれのぶれ量を認識することができ、切出し画像８３が手ぶれ認識用補助枠８１を越えているか否かにより、越えていない場合は手ぶれが許容範囲内であり、越えている場合は許容範囲外であることを認識することができる。
【０１０６】
［第２の実施の形態］
【０１０７】
以下、図面を参照して本発明の実施の形態を詳細に説明する。なお、本実施の形態では、撮影者が撮影条件として手ぶれの許容条件を設定する場合について詳細に説明する。なお、本実施の形態のデジタルカメラは、第１の実施の形態のデジタルカメラ１０と略同様の構成及び作用であるので、詳細な説明は省略し、手ぶれ認識表示処理（手ぶれ認識表示）について詳細に説明する。
【０１０８】
本実施の形態では、予め、撮影者が手ぶれの許容条件を例えば、ＬＣＤ１８上に表示されたメニュー画面等の項目を十字カーソルボタン１６Ｄ等を操作することにより設定する。ここではどの程度（手ぶれ量）の手ぶれまで許容範囲とするか、具体的一例として、手ぶれ検出部２２のセンサ７０Ａ及びセンサ７０Ｂの角速度を設定する。設定された各々の角速度は、手ぶれ許容条件設定部２８のメモリ（図示省略）に記憶された状態になる。
【０１０９】
図７に、本実施の形態の手ぶれ認識表示処理の一例のフローチャートを示す。なお、ステップ２０６は第１の実施の形態の手ぶれ認識表示処理のステップ１００（図３参照）に対応し、ステップ２０８はステップ１０２に、ステップ２１０はステップ１０４に、ステップ２１２はステップ１０６に、ステップ２１４はステップ１０８に、ステップ２１６はステップ１１０に、それぞれ対応している。
【０１１０】
まずステップ２００では、手ぶれ許容条件設定部２８から設定加速度を取得し、次のステップ２０２では、手ぶれ認識用補助枠サイズを算出する。なお、本実施の形態では、センサ７０Ａ、７０Ｂの加速度と手ぶれ認識用補助枠８０の大きさとは比例関係にあり、一例として、この加速度に基づいて手ぶれ認識用補助枠８０の大きさを算出するための計算式が予め手ぶれ許容条件設定部２８のメモリ（図示省略）に記憶されているがこれに限らず、例えば、加速度と手ぶれ認識用補助枠８０の大きさとの対応関係を予め記憶しておき、当該対応関係から手ぶれ認識用補助枠８０の大きさを読取るようにしてもよい。
【０１１１】
なお、手ぶれ量が大きくなるのに比例して加速度が大きくなるため、設定する加速度が大きい場合は許容する手ぶれ量が大きく、加速度が小さい場合は許容する手ぶれ量が小さいことを表している。従って、手ぶれ認識用補助枠８０の大きさは、設定された加速度が大きい場合は大きく、加速度が小さい場合は小さくなる（図８参照、詳細後述）。
【０１１２】
次のステップ２０４では、手ぶれ補助枠の大きさ（許容範囲）を算出した値に設定する。
【０１１３】
そして次のステップ２０６では、手ぶれ認識用補助枠の大きさを取得し、次のステップ２０８では手ぶれ認識用補助枠８０をＬＣＤ１８のスルー画像８４上に表示し、次のステップ２１０では手ぶれ量表示マーク８２を表示し、次のステップ２１２では手ぶれ検出部２２から手ぶれ量（加速方向と加速量）を取得し、次のステップ２１４では、取得した手ぶれ量に基づいた位置に手ぶれ量表示マーク８２を移動する。次のステップ２１６では、本処理を終了するか否か判断し、否定された場合は、手ぶれ量の取得及び手ぶれ量表示マーク８２の移動を繰り返し、肯定された場合は、本処理を終了する。
【０１１４】
図８を参照して本実施の形態の手ぶれ認識用補助枠８０及び手ぶれ量表示マーク８２の表示について説明する。図８（Ａ）は設定されている加速度が小さい場合を示し、（Ｂ）は設定されている加速度が（Ａ）の場合よりも大きい場合を示しており、手ぶれ認識用補助枠８０Ｂは、手ぶれ認識用補助枠８０Ａよりも大きい。
【０１１５】
このように、同一の手ぶれ量であっても、図８（Ａ）に示した場合では、手ぶれは許容範囲外であり、（Ｂ）に示した場合では、手ぶれは許容範囲内であることが認識できる。
【０１１６】
以上説明したように、本実施の形態のデジタルカメラ１０では、撮影者がどの程度（手ぶれ量）の手ぶれまで許容範囲とするかについて、手ぶれ検出部２２のセンサ７０Ａ及びセンサ７０Ｂの角速度の設定を予めしておき、当該設定に基づいて手ぶれ認識用補助枠８０の大きさを算出し、ＬＣＤ１８のスルー画像８４上に表示するため、撮影者は設定に基づいて、発生した手ぶれのぶれ量を認識することができ、手ぶれ量表示マーク８２が手ぶれ認識用補助枠８０を越えているか否かにより、越えていない場合は手ぶれが許容範囲内であり、越えている場合は許容範囲外であることを認識することができる。
【０１１７】
なお、本実施の形態では、手ぶれ量表示マーク８２により手ぶれの量及び方向を表示しているが、これに限らず、第１の実施の形態の場合と同様に、ＬＣＤ１８に表示されたスルー画像の一部を切り出した切出し画像により表示するようにしてもよい。手ぶれ認識表示処理も同様に、図３のステップ１０４に対応するステップ２１０及びステップ１０８に対応するステップ２１４の処理のみ異なる処理を行えばよい。
【０１１８】
［第３の実施の形態］
【０１１９】
以下、図面を参照して本発明の実施の形態を詳細に説明する。なお、本実施の形態では、露光時間を手ぶれの許容条件として設定する場合について詳細に説明する。なお、本実施の形態のデジタルカメラは、第１の実施の形態及び第２の実施の形態のデジタルカメラと略同様の構成及び作用であるので、詳細な説明は省略し、手ぶれ認識表示処理（手ぶれ認識表示）について詳細に説明する。
【０１２０】
本実施の形態では、予め、撮影者が手ぶれの許容条件を例えば、ＬＣＤ１８上に表示されたメニュー画面等の項目を十字カーソルボタン１６Ｄ等を操作することにより設定する。本実施の形態の露光時間の取得は例えば、設定されているシャッタースピードを読取ったり、スルー画像８４の露光時間から読取ったりすればよいが、これに限らない。
【０１２１】
図９に、本実施の形態の手ぶれ認識表示処理の一例のフローチャートを示す。なお、ステップ３０６は第１の実施の形態の手ぶれ認識表示処理のステップ１００（図３参照）に対応し、ステップ３０８はステップ１０２に、ステップ３１０はステップ１０４に、ステップ３１２はステップ１０６に、ステップ３１４はステップ１０８に、ステップ３１６はステップ１１０に、それぞれ対応している。また、ステップ３００は第２の実施の形態の手ぶれ認識処理のステップ２００（図７参照）に対応し、ステップ３０２はステップ２０２に、ステップ３０４はステップ２０４に、それぞれ対応している。
【０１２２】
まずステップ３００では、ＣＣＤ５４が露光される予定の露光時間（予定露光時間、ここではシャッタースピード）を取得し、次のステップ３０２では、手ぶれ認識用補助枠サイズを選択する。なお、本実施の形態では、露光時間と手ぶれ認識用補助枠の大きさとの対応関係を予め手ぶれ許容条件設定部２８のメモリ（図示省略）に記憶されており、当該対応関係に基づいて手ぶれ認識用補助枠の大きさを選択するがこれに限らず、例えば、露光時間から手ぶれ認識用補助枠の大きさを算出するための計算式を予め記憶しておき、当該計算式により算出するようにしてもよい。
【０１２３】
なお、露光時間が長くなるにつれて、手ぶれの影響を受けやすくなる。従って、本実施の形態では、手ぶれ認識用補助枠８０の大きさは、露光時間が長い場合は小さく、露光時間が短い場合は大きくなる。
【０１２４】
次のステップ３０４では、手ぶれ許容範囲（補助枠の大きさ）を選択した値に設定した後、次のステップに進む。
【０１２５】
そしてステップ３０６では、手ぶれ認識用補助枠の大きさを取得し、次のステップ３０８では、手ぶれ認識用補助枠８０をＬＣＤ１８のスルー画像８４上に表示し、次のステップ３１０では、手ぶれ量表示マーク８２を表示し、次のステップ３１２では、手ぶれ検出部２２から手ぶれ量（加速方向と加速量）を取得し、次のステップ３１４では、取得した手ぶれ量に基づいた位置に手ぶれ量表示マーク８２を移動し、次のステップ３１６では、本処理を終了するか否か判断し、否定された場合は、手ぶれ量の取得及び手ぶれ量表示マーク８２の移動を繰り返し、肯定された場合は、本処理を終了する。
【０１２６】
図８を参照して本実施の形態の手ぶれ認識用補助枠８０及び手ぶれ量表示マーク８２の表示について説明する。図８（Ａ）は露光時間が長い場合を示し、（Ｂ）は露光時間が（Ａ）の場合よりも短い場合を示しており、手ぶれ認識用補助枠８０Ｂは、手ぶれ認識用補助枠８０Ａよりも大きい。
【０１２７】
このように、同一の手ぶれ量であっても、図８（Ａ）に示した場合では、手ぶれは許容範囲外であり、（Ｂ）に示した場合では、手ぶれは許容範囲内であることが認識できる。
【０１２８】
以上説明したように、本実施の形態のデジタルカメラ１０では、露光時間に基づいて手ぶれ認識用補助枠８０の大きさを選択し、ＬＣＤ１８のスルー画像８４上に表示するため、自動的に設定された手ぶれの許容条件に基づいて、適正な手ぶれ認識用補助枠８０を表示することができる。従って、撮影者は、発生した手ぶれのぶれ量を認識することができ、手ぶれが許容範囲内であるか否かをより適正に認識することができる。
【０１２９】
なお、第１の実施の形態の場合と同様に、ＬＣＤ１８に表示されたスルー画像の一部を切り出した切出し画像により表示するようにしてもよく、手ぶれ認識表示処理も同様に、図３のステップ１０４に対応するステップ３１０及びステップ１０８に対応するステップ３１４の処理のみ異なる処理を行えばよい。
【０１３０】
［第４の実施の形態］
【０１３１】
以下、図面を参照して本発明の実施の形態を詳細に説明する。なお、本実施の形態では、手ぶれの許容条件を手ぶれ補正部４０により手ぶれ補正を行うか否かにより設定する場合について詳細に説明する。なお、本実施の形態のデジタルカメラは、第１の実施の形態〜第３の実施の形態のデジタルカメラと略同様の構成及び作用であるので、詳細な説明は省略し、手ぶれ認識表示処理（手ぶれ認識表示）について詳細に説明する。
【０１３２】
本実施の形態では、予め、撮影者が手ぶれ補正を行うか否か、及び補正を行う場合は補正の度合（段数）を設定する。
【０１３３】
図１０に、本実施の形態の手ぶれ認識表示処理の一例のフローチャートを示す。なお、ステップ４１０は第１の実施の形態の手ぶれ認識表示処理のステップ１００（図３参照）に対応し、ステップ４１２はステップ１０２に、ステップ４１４はステップ１０４に、ステップ４１６はステップ１０６に、ステップ４１８はステップ１０８に、ステップ４２０はステップ１１０に、それぞれ対応している。また、ステップ４００は第３の実施の形態の手ぶれ認識処理のステップ３００（図９参照）に対応し、ステップ４０２はステップ３０２に、ステップ４０８はステップ３０４に、それぞれ対応している。
【０１３４】
まずステップ４００では、予定露光時間を取得し、次のステップ４０２では、手ぶれ認識用補助枠の大きさを選択する。
【０１３５】
次のステップ４０４では、手ぶれ補正部４０から設定されている手ぶれ補正の度合を取得する。なお、本実施の形態では、手ぶれ補正の度合は「段数」で表している。手ぶれ補正を行わない（設定されていない）場合は、段数は「０」になる。また、手ぶれ補正の度合が大きいほど、段数は大きくなる。
【０１３６】
次のステップ４０６では、取得した手ぶれ補正許容段数に従って、手ぶれ認識用補助枠８０の大きさを変更する。なお、手ぶれ補正を行う度合が大きくなるにつれて、手ぶれの影響が小さくなる。従って、手ぶれ認識用補助枠８０の大きさと手ぶれ補正を行う度合は比例しており、本実施の形態では、手ぶれ認識用補助枠８０の大きさは、手ぶれ補正の段数が大きい場合は大きく、段数が小さい（もしくは「０」）場合は小さくなる。具体的一例として、本実施の形態では、ステップ４０２で選択された手ぶれ認識用補助枠８０の大きさが「Ｚ×Ｚ」であり、手ぶれ補正の段数が２段である場合は、手ぶれ認識用補助枠８０の大きさを「２Ｚ×２Ｚ」に変更する。即ち、２（段）×２（段）＝４（倍）になる。
【０１３７】
次のステップ４０８では、手ぶれ補助枠の大きさ（許容範囲）を選択した値に設定し、さらに次のステップ４１０では、手ぶれ認識用補助枠の大きさを取得し、次のステップ４１２では、手ぶれ認識用補助枠８０をＬＣＤ１８のスルー画像８４上に表示し、次のステップ４１４では、手ぶれ量表示マーク８２を表示し、次のステップ４１６では、手ぶれ検出部２２から手ぶれ量（加速方向と加速量）を取得し、次のステップ４１８では、取得した手ぶれ量に基づいた位置に手ぶれ量表示マーク８２を移動し、次のステップ４２０では、本処理を終了するか否か判断し、否定された場合は、手ぶれ量の取得及び手ぶれ量表示マーク８２の移動を繰り返し、肯定された場合は、本処理を終了する。
【０１３８】
図８を参照して本実施の形態の手ぶれ認識用補助枠８０及び手ぶれ量表示マーク８２の表示について説明する。図８（Ａ）は手ぶれ補正の段数が小さい（もしくは「０」）場合を示し、（Ｂ）は手ぶれ補正の段数が（Ａ）の場合よりも大きい場合を示しており、手ぶれ認識用補助枠８０Ｂは、手ぶれ認識用補助枠８０Ａよりも大きい。
【０１３９】
このように、同一の手ぶれ量であっても、図８（Ａ）に示した場合では、手ぶれは許容範囲外であり、（Ｂ）に示した場合では、手ぶれは許容範囲内であることが認識できる。
【０１４０】
以上説明したように、本実施の形態のデジタルカメラ１０では、設定されている手ぶれ補正機能の段数に基づいて手ぶれ認識用補助枠８０の大きさを選択し、ＬＣＤ１８のスルー画像８４上に表示するため、自動的に設定された手ぶれの許容条件に基づいて、適正な手ぶれ認識用補助枠８０を表示することができる。従って、撮影者は、発生した手ぶれのぶれ量を認識することができ、手ぶれが許容範囲内であるか否かをより適正に認識することができる。
【０１４１】
なお、第１の実施の形態の場合と同様に、ＬＣＤ１８に表示されたスルー画像の一部を切り出した切出し画像により表示するようにしてもよく、手ぶれ認識表示処理も同様に、図３のステップ１０４に対応するステップ４１４及びステップ１０８に対応するステップ４１８の処理のみ異なる処理を行えばよい。
【０１４２】
［第５の実施の形態］
【０１４３】
以下、図面を参照して本発明の実施の形態を詳細に説明する。なお、本実施の形態では、露光時間により表示する手ぶれ量表示マークの位置を変化させる場合について詳細に説明する。なお、本実施の形態のデジタルカメラは、第１の実施の形態〜第４の実施の形態のデジタルカメラと略同様の構成及び作用であるので、詳細な説明は省略し、手ぶれ認識表示処理（手ぶれ認識表示）について詳細に説明する。
【０１４４】
本実施の形態では、予め、撮影者が手ぶれの許容条件を例えば、ＬＣＤ１８上に表示されたメニュー画面等の項目を十字カーソルボタン１６Ｄ等を操作することにより設定する。本実施の形態の露光時間の取得は例えば、設定されているシャッタースピードを読取ったり、スルー画像８４の露光時間から読取ったりすればよいが、これに限らない。
【０１４５】
図１１に、本実施の形態の手ぶれ認識表示処理の一例のフローチャートを示す。なお、ステップ５００は第１の実施の形態の手ぶれ認識表示処理のステップ１００（図３参照）に対応し、ステップ５０２はステップ１０２に、ステップ５０４はステップ１０４に、ステップ５１０はステップ１０６に、ステップ５１４はステップ１０８に、ステップ５１６はステップ１１０に、それぞれ対応している。また、ステップ５０６は第３の実施の形態の手ぶれ認識処理のステップ３００（図９参照）に対応している。
【０１４６】
まずステップ５００では、手ぶれ許容条件設定部２８から手ぶれ認識用補助枠の大きさを取得し、次のステップ５０２では、手ぶれ認識用補助枠８０をＬＣＤ１８のスルー画像８４上に表示し、次のステップ５０４では、手ぶれ量表示マーク８２を表示し、次のステップ５０６では、予定露光時間を取得する。
【０１４７】
次のステップ５０８では、取得した露光時間に対応する手ぶれ量表示マーク８２の移動係数を選択する。なお、本実施の形態では、露光時間と手ぶれ量表示マーク８２の移動係数との対応関係を予め手ぶれ量表示部３０Ｂのメモリ（図示省略）等に記憶しておき、当該対応関係に基づいて手ぶれ量表示マーク８２の移動係数を選択するがこれに限らない。
【０１４８】
なお、露光時間が長くなるにつれて、手ぶれの影響を受けやすくなる。従って、本実施の形態では、手ぶれ量表示マーク８２の移動量は、露光時間が長い場合は大きく、露光時間が短い場合は小さくなる。具体的一例として、本実施の形態では、露光時間が２倍になると、手ぶれ量表示マーク８２の移動係数は２（移動量が２倍）になる。
【０１４９】
次のステップ５１０では、手ぶれ検出部２２から手ぶれ量（加速方向と加速量）を取得し、次のステップ５１２では、移動量を算出する。
【０１５０】
本実施の形態では、取得した手ぶれ量に基づいた移動量（規定移動量）に移動係数を乗じた値を移動量として算出する。具体的一例としては、規定移動量が０．０１ｍ／ｓ２あたり１０００ｐｉｘであり、移動係数が１／２である場合、移動量は、０．０１ｍ／ｓ２あたり５００ｐｉｘになる。
【０１５１】
そして、次のステップ５１４では、算出した移動量に基づいた位置に手ぶれ量表示マーク８２を移動し、次のステップ５１６では、本処理を終了するか否か判断し、否定された場合は、手ぶれ量の取得、移動量の算出、及び手ぶれ量表示マーク８２の移動を繰り返し、肯定された場合は、本処理を終了する。
【０１５２】
図１２を参照して本実施の形態の手ぶれ認識用補助枠８０及び手ぶれ量表示マーク８２の表示について説明する。図１２（Ａ）は露光時間が短い場合を示し、（Ｂ）は露光時間が（Ａ）の場合よりも長い場合を示しており、手ぶれ量表示マーク８２の初期位置（本実施の形態では、手ぶれ認識用補助枠８０の中央）からの距離は、図１２（Ｂ）に示した距離ＺＢの方が、（Ａ）に示した距離ＺＡよりも長くなっている。
【０１５３】
このように、同一の手ぶれ量であっても、図８（Ａ）に示した場合では、手ぶれは許容範囲内であり、（Ｂ）に示した場合では、手ぶれは許容範囲外であることが認識できる。
【０１５４】
なお、本実施の形態では、移動係数を用いて手ぶれ量表示マーク８２の移動量を算出しているがこれに限らず、例えば、露光時間から手ぶれ量表示マーク８２の移動量を算出するための計算式を予め記憶しておき、当該計算式により算出するようにしてもよい。
【０１５５】
以上説明したように、本実施の形態のデジタルカメラ１０では、露光時間に基づいて手ぶれ量表示マーク８２の移動係数を取得し、移動係数と規定移動量とにより移動量を算出し、ＬＣＤ１８のスルー画像８４上に表示された手ぶれ量表示マーク８２を算出した移動量に基づいた位置に移動するため、自動的に露光時間に基づいて、適正な位置に手ぶれ量表示マーク８２を表示することができる。従って、撮影者は、発生した手ぶれのぶれ量を認識することができ、手ぶれの許容範囲をより適正に認識することができる。
【０１５６】
なお、第１の実施の形態の場合と同様に、ＬＣＤ１８に表示されたスルー画像の一部を切り出した切出し画像により表示するようにしてもよく、手ぶれ認識表示処理は、図３のステップ１０４に対応するステップ５０４及びステップ１０８に対応するステップ５１４の処理を同様に変更し、さらに、ステップ５１２ではスルー画像を切り出す切出し位置の移動量を算出するようにすればよい。
【０１５７】
［第６の実施の形態］
【０１５８】
以下、図面を参照して本発明の実施の形態を詳細に説明する。なお、本実施の形態では、露光時間により表示する手ぶれ量表示マークの大きさを変化させる場合について詳細に説明する。なお、本実施の形態のデジタルカメラは、第１の実施の形態〜第５の実施の形態のデジタルカメラと略同様の構成及び作用であるので、詳細な説明は省略し、手ぶれ認識表示処理（手ぶれ認識表示）について詳細に説明する。
【０１５９】
図１３に、本実施の形態の手ぶれ認識表示処理の一例のフローチャートを示す。なお、ステップ６００は第１の実施の形態の手ぶれ認識表示処理のステップ１００（図３参照）に対応し、ステップ６０２はステップ１０２に、ステップ６０４はステップ１０４に、ステップ６１２はステップ１０６に、ステップ６１４はステップ１０８に、ステップ６１６はステップ１１０に、それぞれ対応している。また、ステップ６０６は第５の実施の形態の手ぶれ認識処理のステップ３００（図９参照）に対応している。
【０１６０】
まずステップ６００では、手ぶれ許容条件設定部２８から手ぶれ認識用補助枠の大きさを取得し、次のステップ６０２では、手ぶれ認識用補助枠８０をＬＣＤ１８のスルー画像８４上に表示し、次のステップ６０４では、手ぶれ量表示マーク８２を表示し、次のステップ６０６では、予定露光時間を取得する。
【０１６１】
次のステップ６０８では、取得した露光時間に対応する手ぶれ量表示マーク８２の大きさを選択する。なお、本実施の形態では、露光時間と手ぶれ量表示マーク８２の大きさとの対応関係を予め手ぶれ量表示部３０Ｂのメモリ（図示省略）等に記憶しておき、当該対応関係に基づいて手ぶれ量表示マーク８２の大きさを選択するがこれに限らず、例えば、露光時間から手ぶれ量表示マーク８２の大きさを算出するための計算式を予め記憶しておき、当該計算式により算出するようにしてもよい。
【０１６２】
なお、露光時間が長くなるにつれて、手ぶれの影響を受けやすくなる。従って、本実施の形態では、手ぶれ量表示マーク８２の大きさは、露光時間が長い場合は大きく、露光時間が短い場合は小さくなる。
【０１６３】
次のステップ６１０では、表示されている手ぶれ量表示マーク８２の大きさを選択した大きさに変更し、次のステップ６１２では、手ぶれ検出部２２から手ぶれ量（加速方向と加速量）を取得し、次のステップ５１４では、算出した移動量に基づいた位置に手ぶれ量表示マーク８２を移動し、次のステップ５１６では、本処理を終了するか否か判断し、否定された場合は、手ぶれ量の取得及び手ぶれ量表示マーク８２の移動を繰り返し、肯定された場合は、本処理を終了する。
【０１６４】
図１４を参照して本実施の形態の手ぶれ認識用補助枠８０及び手ぶれ量表示マーク８２、８２Ａの表示について説明する。図１２（Ａ）は露光時間が規定値の場合を示し、（Ｂ）は露光時間が（Ａ）の場合よりも長い場合を示しており、手ぶれ量表示マーク８２Ａは手ぶれ量表示マーク８２よりも大きくなっている。
【０１６５】
このように、同一の手ぶれ量であっても、図１４（Ａ）に示した場合では、手ぶれは許容範囲内であり、（Ｂ）に示した場合では、手ぶれは許容範囲外であることが認識できる。
【０１６６】
以上説明したように、本実施の形態のデジタルカメラ１０では、露光時間に基づいて手ぶれ量表示マーク８２の大きさを選択し、ＬＣＤ１８のスルー画像８４上に表示された手ぶれ量表示マーク８２の大きさを変更するため、自動的に露光時間に基づいて、撮影者は、発生した手ぶれのぶれ量を認識することができ、手ぶれの許容範囲をより適正に認識することができる。
【０１６７】
なお、本実施の形態では、手ぶれ量表示マーク８２の大きさのみを変更しているが、手ぶれ認識用補助枠８０の大きさも同時に変更してもよい。この場合について図１５を参照して説明する。図１５（Ａ）は手ぶれ認識用補助枠８０及び手ぶれ量表示マーク８２は規定の大きさであり、（Ｂ）は露光時間が（Ａ）よりも長い場合を示している。このように、露光時間が長くなるにしたがって、手ぶれ認識用補助枠８０の大きさＭと手ぶれ量表示マーク８２の大きさＮとの差（Ｍ−Ｎ）が小さくなるようにすればよく、露光時間と、手ぶれ認識用補助枠８０の大きさＭと、手ぶれ量表示マーク８２の大きさＮとの対応関係を予め記憶しておき、当該対応関係に基づいて大きさを選択するようにすればよい。
【０１６８】
なお、第１の実施の形態の場合と同様に、ＬＣＤ１８に表示されたスルー画像の一部を切り出した切出し画像により表示するようにしてもよく、手ぶれ認識表示処理は、図３のステップ１０４に対応するステップ６０４及びステップ１０８に対応するステップ６１４の処理を同様に変更し、さらに、ステップ６０８ではスルー画像を切り出す大きさを選択し、ステップ６１０では、切り出す大きさを変更するようにすればよい。
【０１６９】
［第７の実施の形態］
【０１７０】
以下、図面を参照して本発明の実施の形態を詳細に説明する。なお、本実施の形態では、手ぶれが許容範囲を越えていることを報知するための報知部を備えた場合のデジタルカメラについて詳細に説明する。なお、本実施の形態のデジタルカメラは、第１の実施の形態〜第６の実施の形態のデジタルカメラと略同様の構成及び作用であるので、同一部分には同一符号を付し、詳細な説明は省略する。
【０１７１】
図１６に、本実施の形態のデジタルカメラ１０Ａの電気系の主要構成の一例のブロック図を示す。図１６に示したデジタルカメラ１０Ａは、報知部７８を備えて構成されている点で、第１の実施の形態のデジタルカメラ１０と異なっている。
【０１７２】
報知部７６は、手ぶれが許容範囲を越えていることを撮影者に報知するためのものであり、本実施の形態では、ＬＣＤ１８に表示されている画像上に、手ぶれが許容範囲を越えている旨を表す表示を行うことにより報知するものである。
【０１７３】
図１７に、本実施の形態の手ぶれ認識表示処理の一例のフローチャートを示す。なお、ステップ７００は第１の実施の形態の手ぶれ認識表示処理のステップ１００（図３参照）に対応し、ステップ７０２はステップ１０２に、ステップ７０４はステップ１０４に、ステップ７０６はステップ１０６に、ステップ７０８はステップ１０８に、ステップ７１４はステップ１１０に、それぞれ対応している。
【０１７４】
まずステップ７００では、手ぶれ許容条件設定部２８から手ぶれ認識用補助枠の大きさを取得し、次のステップ７０２では、手ぶれ認識用補助枠８０をＬＣＤ１８のスルー画像８４上に表示し、次のステップ７０４では、手ぶれ量表示マーク８２を表示し、次のステップ７０６、手ぶれ検出部２２から手ぶれ量（加速方向と加速量）を取得し、次のステップ７０８では、算出した移動量に基づいた位置に手ぶれ量表示マーク８２を移動する。
【０１７５】
次のステップ７１０では、移動した手ぶれ量表示マーク８２の位置が許容範囲外であるか否か判断する。本実施の形態では、手ぶれ認識用補助枠８０の外部に手ぶれ量表示マーク８２が出る場合は手ぶれ許容範囲外であり、即ち、手ぶれ量が許容量を越えたと判断する。許容範囲外である場合は肯定されて、ステップ７１２へ進み、報知部７８により撮影者に手ぶれが許容範囲を越えていることを報知した後、ステップ７１４へ進む。
【０１７６】
報知部７８が画像の色調を変化させる色調変化部である場合は、表示されている画像の色調を変更する。ＬＣＤ１８に表示されている画像の色調を変化させる場合の具体的一例を図１８に示す。図１８では、手ぶれ量表示マーク８２Ｂの手ぶれ認識用補助枠８０許容範囲外の部分のみを黒色表示にすることにより、許容範囲を越えていることを表している。なお、これに限らず、規定の色調と異なれば良く、例えば、スルー画像８４全体の色調を変更（白黒やネガ色等）したり、手ぶれ認識用補助枠８０内外の色を変化させる等、他の方法であってもよい。
【０１７７】
なお、本実施の形態では、報知部７８によりＬＣＤ１８上に、手ぶれが許容範囲を越えている旨を表す表示を行えばよく、例えば、許容範囲を越えている旨のメッセージを表示したりしてもよい。
【０１７８】
一方、許容範囲を越えていない場合は否定されて、ステップ７１４へ進み、本処理を終了するか否か判断し、否定された場合は、手ぶれ量の取得、手ぶれ量表示マーク８２の移動、及び許容範囲外で有る場合は撮影者への報知を繰り返し、肯定された場合は、本処理を終了する。
【０１７９】
なお、本実施の形態では、手ぶれ量表示マーク８２の位置が手ぶれ認識用補助枠８０よりも外に出る場合に許容範囲外であると判断しているがこれに限らず、取得した手ぶれ量に基づいて判断するようにしてもよい。
【０１８０】
以上説明したように、本実施の形態のデジタルカメラ１０では、手ぶれ量表示マーク８２が手ぶれ認識用補助枠８０よりも外に出る場合には手ぶれが許容範囲であると判断し、報知部７８により、ＬＣＤ１８画面上に報知するため、撮影者の視覚に対して、発生した手ぶれが許容範囲を越えていることを強調して報知することができる。
【０１８１】
なお、第１の実施の形態の場合と同様に、ＬＣＤ１８に表示されたスルー画像の一部を切り出した切出し画像により表示するようにしてもよく、手ぶれ認識表示処理は、図３のステップ１０４に対応するステップ７０４及びステップ１０８に対応するステップ７０８の処理を同様に変更するようにすればよい。
【０１８２】
［第８の実施の形態］
【０１８３】
本実施の形態では、報知部が警告音を出力する警告音出力部である場合について詳細に説明する。なお、本実施の形態のデジタルカメラは、第７の実施の形態のデジタルカメラ１０Ａと略同様の構成及び作用であるので、詳細な説明は省略する。
【０１８４】
本実施の形態の報知部７６は、手ぶれが許容範囲を越えていることを警告音により、撮影者に報知するためのものであり、本実施の形態では、報知部７８に備えられたスピーカ等の音源（図示省略）により手ぶれが許容範囲を越えている旨を表す警告音を発することにより報知するものである。
【０１８５】
本実施の形態の手ぶれ認識表示処理は、第７の実施の形態のデジタルカメラ１０Ａにおける手ぶれ認識表示処理（図１７参照）とステップ７１２における、報知部により撮影者に報知する、報知の仕方のみ異なる処理である。
【０１８６】
本実施の形態では、報知部７８に備えられた音源からビープ音やメッセージ等の警告音を発することにより、手ぶれが許容範囲を越えている旨を報知する。
【０１８７】
以上説明したように、本実施の形態のデジタルカメラ１０では、手ぶれ量表示マーク８２が手ぶれ認識用補助枠８０よりも外に出る場合には手ぶれが許容範囲であると判断し、報知部７８により、警告音を出力して報知するため、撮影者の聴覚に対して、発生した手ぶれが許容範囲を越えていることを報知することができる。
【０１８８】
［第９の実施の形態］
【０１８９】
本実施の形態では、報知部がデジタルカメラを振動させる信号部である場合について詳細に説明する。なお、本実施の形態のデジタルカメラは、第７の実施の形態のデジタルカメラ１０Ａと略同様の構成及び作用であるので、詳細な説明は省略する。
【０１９０】
本実施の形態の報知部７６は、手ぶれが許容範囲を越えていることを振動等の物理的挙動により、撮影者に報知するためのものであり、本実施の形態では、報知部７８に備えられたモータ等（図示省略）によりデジタルカメラ１０Ａを振動させることにより報知するものである。
【０１９１】
本実施の形態の手ぶれ認識表示処理は、第７の実施の形態のデジタルカメラ１０Ａにおける手ぶれ認識表示処理（図１７参照）とステップ７１２における、報知部により撮影者に報知する、報知の仕方のみ異なる処理である。
【０１９２】
本実施の形態では、報知部７８に備えられたモータによりデジタルカメラ１０Ａを振動させることにより、手ぶれが許容範囲を越えている旨を報知する。
【０１９３】
以上説明したように、本実施の形態のデジタルカメラ１０では、手ぶれ量表示マーク８２が手ぶれ認識用補助枠８０よりも外に出る場合には手ぶれが許容範囲であると判断し、報知部７８により、デジタルカメラ１０Ａを振動させて報知するため、撮影者の触覚に対して、発生した手ぶれが許容範囲を越えていることを報知することができる。
【図面の簡単な説明】
【０１９４】
【図１】本発明の第１の実施の形態に係る撮影装置であるデジタルカメラの概略構成の一例を示す概略構成図である。
【図２】本発明の第１の実施の形態に係るデジタルカメラの電気系の主要構成の一例を示すブロック図である。
【図３】本発明の第１の実施の形態に係る手ぶれ認識表示処理の一例を示すフローチャートである。
【図４】本発明の第１の実施の形態に係る手ぶれの一例を説明するための説明図である。
【図５】本発明の第１の実施の形態に係る手ぶれ認識表示の一例を説明するための説明図である。
【図６】本発明の第１の実施の形態に係る手ぶれ認識表示のその他の例を説明するための説明図である。
【図７】本発明の第２の実施の形態に係る手ぶれ認識表示処理の一例を示すフローチャートである。
【図８】本発明の第２の実施の形態に係る手ぶれ認識表示の一例を説明するための説明図である。
【図９】本発明の第３の実施の形態に係る手ぶれ認識表示処理の一例を示すフローチャートである。
【図１０】本発明の第４の実施の形態に係る手ぶれ認識表示処理の一例を示すフローチャートである。
【図１１】本発明の第５の実施の形態に係る手ぶれ認識表示処理の一例を示すフローチャートである。
【図１２】本発明の第５の実施の形態に係る手ぶれ認識表示の一例を説明するための説明図である。
【図１３】本発明の第６の実施の形態に係る手ぶれ認識表示処理の一例を示すフローチャートである。
【図１４】本発明の第６の実施の形態に係る手ぶれ認識表示において、手ぶれ量表示マークの大きさを変更する場合の一例を説明するための説明図である。
【図１５】本発明の第６の実施の形態に係る手ぶれ認識表示において、手ぶれ認識用補助枠及び手ぶれ量表示マークの両方の大きさを変更する場合の一例を説明するための説明図である。
【図１６】本発明の第７の実施の形態に係るデジタルカメラの電気系の主要構成の一例を示すブロック図である。
【図１７】本発明の第７の実施の形態に係る手ぶれ認識表示処理の一例を示すフローチャートである。
【図１８】本発明の第７の実施の形態に係る手ぶれが許容範囲外である旨の報知の表示の一例を説明するための説明図である。
【符号の説明】
【０１９５】
１０  デジタルカメラ
１８  ＬＣＤ
２０  撮像部
２２  手ぶれ検出部
２８  手ぶれ許容条件設定部
３０  手ぶれ認識表示部
３０Ａ  手ぶれ認識用補助枠表示部
３０Ｂ  手ぶれ量表示部
４０  手ぶれ補正部
７８  報知部
８０、８１  手ぶれ認識用補助枠
８２  手ぶれ量表示マーク
８３  切出し画像
【図１】
2009246468.tif 000003
【図２】
2009246468.tif 000004
【図３】
2009246468.tif 000005
【図４】
2009246468.tif 000006
【図５】
2009246468.tif 000007
【図６】
2009246468.tif 000008
【図７】
2009246468.tif 000009
【図８】
2009246468.tif 000010
【図９】
2009246468.tif 000011
【図１０】
2009246468.tif 000012
【図１１】
2009246468.tif 000013
【図１２】
2009246468.tif 000014
【図１３】
2009246468.tif 000015
【図１４】
2009246468.tif 000016
【図１５】
2009246468.tif 000017
【図１６】
2009246468.tif 000018
【図１７】
2009246468.tif 000019
【図１８】
2009246468.tif 000020